(57)【要約】【課題】  塗膜のいわゆる糸引きが生じても、次回転写時に確実に転写を行える塗膜転写具を提供する。【解決手段】  塗膜転写具２は、支持板３０及び転写機構５０を備える。すなわち、支持板３０は、支持板上部３２、これから垂直下方（図４においては奥側）に伸びる支持板壁部３４、及び支持板壁部３４から支持板上部３２に平行に、供給リール４２から遠ざかる方向に伸びる支持板下部３６からなり、転写機構５０は、支持板上部３２と支持板下部３６の間において、その一端側において支持され、他端側に紙に押圧されるローラー５６を備えた支持部材５３を有する。少なくともその支持部材５３の他端側が非作用時に位置する初期位置から一方向へ変位可能に構成され、さらに、転写機構５０は、支持部材５３の一方向への変位を所定の位置で制限するストッパー５８と、変位した他端側をテープ６８に沿って初期位置へ戻す方向に作用する圧縮６２コイルばねとを設ける。  【選択図】図４
2008023871.tif 000002
【特許請求の範囲】
【請求項１】
供給リールと、巻取りリールと、転写機構とを備え、前記転写機構は、一端側において支持され、他端側に被転写体に押圧される転写部材を備えた支持部材を有する塗膜転写具において、少なくとも前記支持部材の前記他端側が、非作用時に位置する初期位置から一方向へ変位可能に構成され、前記塗膜転写具は、前記他端側の前記一方向への変位を所定の位置で制限するストッパーと、前記変位した他端側を前記初期位置へ戻す方向に作用する付勢手段を備えることを特徴とする塗膜転写具。
【請求項２】
請求項１記載の塗膜転写具において、前記支持部材は前記一端側において回動可能に支持され、前記塗膜転写具は、前記支持部材の前記一端側が前記初期位置から前記一方向とは反対側へ変位するのを阻止するストッパーを備えていることを特徴とする、塗膜転写具。
【請求項３】
請求項１または２記載の塗膜転写具において、前記付勢手段はばねであることを特徴とする、塗膜転写具。
【請求項４】
請求項1記載の塗膜転写具において、前記支持部材は前記一端側に置いて回動不能に支持され、前記支持部材は少なくとも部分的に弾性変形可能に形成されていることを特徴とする、塗膜転写具。
【請求項５】
請求項１乃至４のいずれか1に記載の塗膜転写具において、前記転写部材は回転可能に支持されたローラーであることを特徴とする、塗膜転写具。
【請求項６】
供給リールと、巻取りリールと、転写機構とを備え、前記転写機構は、一端側において支持され、他端側に被転写体に押圧される転写部が形成された転写部材を備えた塗膜転写具において、少なくとも前記転写部材の前記転写部が、非作用時に位置する初期位置から一方向へ変位可能に構成され、前記塗膜転写具は、前記転写部の前記一方向への変位を所定の位置で制限するストッパーと、前記変位した転写部を前記初期位置へ戻す方向に作用する付勢手段を備えることを特徴とする、塗膜転写具。
【請求項７】
請求項６記載の塗膜転写具において、前記転写部材は前記一端側において回動可能に支持され、前記塗膜転写具は、前記転写部材の前記転写部が前記初期位置から前記一方向とは反対側へ変位するのを阻止するストッパーを備えていることを特徴とする、塗膜転写具。
【請求項８】
請求項６または７記載の塗膜転写具において、前記付勢手段はばねであることを特徴とする、塗膜転写具。
【請求項９】
請求項６記載の塗膜転写具において、前記転写部材は前記一端側に置いて回動不能に支持され、前記支持部材は少なくとも部分的に弾性変形可能に形成されていることを特徴とする、塗膜転写具。
【請求項１０】
支持板と、該支持板に取付けられた供給リールと巻取りリールと転写機構とを備え、塗膜転写具のケース内に収納可能な塗膜転写具用カートリッジにおいて、前記転写機構は、一端側において支持され、他端側に被転写体に押圧される転写部材を備えた支持部材を有し、少なくとも前記支持部材の前記他端側が、非作用時に位置する初期位置から一方向へ変位可能に構成され、前記カートリッジは、前記他端側の前記一方向への変位を所定の位置で制限するストッパーと、前記変位した他端側を前記初期位置へ戻す方向に作用する付勢手段を備えることを特徴とする塗膜転写具用カートリッジ。
【請求項１１】
請求項１０記載の塗膜転写具用カートリッジにおいて、前記支持部材は前記一端側において回動可能に支持され、前記カートリッジは、前記支持部材の前記一端側が前記初期位置から前記一方向とは反対側へ変位するのを阻止するストッパーを備えていることを特徴とする、塗膜転写具用カートリッジ。
【請求項１２】
請求項１０または１１記載の塗膜転写具用カートリッジにおいて、前記付勢手段はばねであることを特徴とする、塗膜転写具用カートリッジ。
【請求項１３】
請求項1０記載の塗膜転写具用カートリッジにおいて、前記支持部材は前記一端側に置いて回動不能に支持され、前記支持部材は少なくとも部分的に弾性変形可能に形成されていることを特徴とする、塗膜転写具用カートリッジ。
【請求項１４】
請求項１０乃至１３のいずれか1に記載の塗膜転写具用カートリッジにおいて、前記転写部材は回転可能に支持されたローラーであることを特徴とする、塗膜転写具用カートリッジ。
【請求項１５】
支持板と、該支持板に取付けられた供給リールと巻取りリールと転写機構とを備え、塗膜転写具のケース内に収納可能な塗膜転写具用カートリッジにおいて、前記転写機構は、一端側において支持され、他端側に被転写体に押圧される転写部が形成された転写部材を備え、少なくとも前記転写部材の前記転写部が、非作用時に位置する初期位置から一方向へ変位可能に構成され、前記カートリッジは、前記転写部の前記一方向への変位を所定の位置で制限するストッパーと、前記変位した転写部を前記初期位置へ戻す方向に作用する付勢手段を備えることを特徴とする、塗膜転写具用カートリッジ。
【請求項１６】
請求項１５記載の塗膜転写具用カートリッジにおいて、前記転写部材は前記一端側において回動可能に支持され、前記カートリッジは、前記転写部材の前記転写部が前記初期位置から前記一方向とは反対側へ変位するのを阻止するストッパーを備えていることを特徴とする、塗膜転写具用カートリッジ。
【請求項１７】
請求項１５または１６記載の塗膜転写具用カートリッジにおいて、前記付勢手段はばねであることを特徴とする、塗膜転写具用カートリッジ。
【請求項１８】
請求項１５記載の塗膜転写具用カートリッジにおいて、前記転写部材は前記一端側において回動不能に支持され、前記支持部材は少なくとも部分的に弾性変形可能に形成されていることを特徴とする、塗膜転写具用カートリッジ。
【発明の詳細な説明】
【技術分野】
【０００１】
本発明は塗膜転写具及びその交換用のカートリッジに関する。
【背景技術】
【０００２】
従来から、テープ上に塗布された粘着性の塗膜や修正用の塗膜を転写するための塗膜転写具が使用されている。これらの塗膜転写具において、例えば特開2003-054190に示されるように、供給リールから繰り出されたテープは、ケースに固定されたローラー等の転写部材を経由して、巻取りリールに巻き取られるよう設計されている。テープを介して転写部材を例えば紙の紙面等の被転写体に押しあて、塗膜転写具を所定の方向に引くことにより、テープは供給リールから繰り出され、テープに塗布された塗膜は被転写体に転写される。
【特許文献１】特開2003-054190号公報
【発明の開示】
【発明が解決しようとする課題】
【０００３】
このような従来の塗膜転写具、特に粘着性の塗膜を転写する場合においては、糸引きという問題が生じていた。糸引きとは、転写後に転写部材と被転写体が離れる際、塗膜が紙面上に転写された部分とテープ上の未使用部分との境界では切断されず、未使用部分の塗膜が余分にテープから剥がされた状態で切断される現象をいう。この糸引き現象により、次に使用する時に転写部材と被転写体との接触部に位置するテープ部分から塗膜がなくなってしまう。この結果、テープと被転写体との間で生じる摩擦抵抗が弱まり、塗膜を転写する際にテープが空滑りしまい、供給リールからのテープの繰り出しが困難となる。
【０００４】
本願発明は上記従来の問題点に鑑みなされたものであり、糸引き現象により、被転写体との接触面に位置するテープ上から塗膜が剥がれた場合であっても、次に塗膜を転写する際に塗膜が存在する部分で転写を開始でき、テープが空滑りせず、確実に塗膜の転写が行える塗膜転写具及び塗膜転写具用カートリッジを提供することを課題とする。
【課題を解決するための手段】
【０００５】
上記課題を解決するために、本願発明においては以下の構成を採用した。すなわち本願発明は、供給リールと、巻取りリールと、転写機構とを備え、その転写機構が、一端側において支持され、他端側に被転写体に押圧される転写部材を備えた支持部材を有する塗膜転写具に係るものであるが、少なくともその支持部材の他端側が、非作用時に位置する初期位置から一方向へ変位可能に構成されている。そしてその塗膜転写具には、支持部材の他端側のその一方向への変位を所定の位置で制限するストッパーと、変位した他端側を初期位置へ戻す方向に作用する付勢手段とを設けた。
【０００６】
上記課題を解決するために、本願の他の発明に係る、供給リールと、巻取りリールと、転写機構とを備え、その転写機構が、一端側において支持され、他端側に被転写体に押圧される転写部が形成された転写部材を備えた塗膜転写具において、少なくともその転写部材の転写部が、非作用時に位置する初期位置から一方向へ変位可能に構成されている。そして、その塗膜転写具には、転写部の一方向への変位を所定の位置で制限するストッパーと、変位した転写部を初期位置へ戻す方向に作用する付勢手段を設けた。
【０００７】
上記課題を解決するために本願の他の発明は、支持板と、該支持板に取付けられた供給リールと巻取りリールと転写機構とを備え、塗膜転写具のケース内に収納可能な塗膜転写具用カートリッジを提供し、その転写機構は、一端側において支持され、他端側に被転写体に押圧される転写部材を備えた支持部材を有し、少なくともその支持部材の他端側が、非作用時に位置する初期位置から一方向へ変位可能に構成されている。そしてそのカートリッジには、その支持部材の他端側の一方向への変位を所定の位置で制限するストッパーと、変位した他端側を初期位置へ戻す方向に作用する付勢手段を設けた。
【０００８】
上記課題を解決するために本願のさらに他の発明は、支持板と、この支持板に取付けられた供給リールと、巻取りリールと、転写機構とを備え、塗膜転写具のケース内に収納可能な塗膜転写具用カートリッジを提供し、その転写機構は、一端側において支持され、他端側に被転写体に押圧される転写部が形成された転写部材を備え、少なくともその転写部材の転写部が、非作用時に位置する初期位置から一方向へ変位可能に構成されている。そしてそのカートリッジには、その転写部材の転写部の一方向への変位を所定の位置で制限するストッパーと、変位した転写部を初期位置へ戻す方向に作用する付勢手段を設けた。
【発明の効果】
【０００９】
上記のとおり、転写時においては転写部材を支持する支持部材の転写部材を支持する側の端部、或いは転写部材の転写部が初期位置から一方向へ変位し、転写が終了すると初期位置に戻るので、転写部材或いは転写部がテープに沿って、テープ上の塗膜が使用されていない側へ移動する。したがって、たとえ糸引き現象が起きたとしても、転写具或いは転写部が、塗膜が存在する部分でテープに接触した状態で次の転写を開始するので、確実に塗膜の転写を行うことができ、塗膜の存在しないテープ部分が被転写物に接触し、スリップして塗膜転写が行えないという現象は生じない。
【発明を実施するための最良の形態】
【００１０】
以下、図面に基づいて本発明の実施形態について説明する。
【００１１】
図１は、本発明の第１の実施の形態に基づく塗膜転写具２の分解斜視図である。図に示されるように、塗膜転写具２は、蓋体６及びケース下体８からなるケース４、及びケース４に収納可能なカートリッジ２８を備える。カートリッジ２８は、テープ６８の供給リール４２、巻取りリール４４、後に詳述する転写機構５０を支持板３０に一体的に取付けたもので、この供給リール４２上のテープ６８を使い切ったときにはこのカートリッジ２８を新しいカートリッジと交換して使用するものである。
【００１２】
図２は、蓋体６を外し、供給リール４２、巻取りリール４４等が取付けられる支持板上部３２を切り取った状態の正面図である。ケース下体８には、供給軸１０、中間軸１４、巻取り軸１２が図示の通り立設され、供給軸１０には供給歯車１６がその筒部２２において、巻取り軸１２には巻取り歯車１８がその筒部２４において、中間軸１４には中間歯車２０がその中心孔２６において、それぞれ回転可能に取付けられている。これらの歯車は互いに噛合して、供給歯車１６の回転が巻取り歯車１８に伝わるようになっている。
【００１３】
図１に示すように、カートリッジ２８の支持板３０には切り欠き部３８、４０が形成され、この切り欠き部３８、４０にそれぞれ、供給リール４２、巻取りリール４４がそれぞれのつば部４６、４８において回転可能に取付けられている。この供給リール４２の内側にはリールホルダー４５が嵌っており（図２）、両部材間ではスリップが可能となっている。そして、このリールホルダー４５は供給歯車１６の筒部２２に一体回転可能に嵌合する。他方、巻取りリール４４は、巻取り歯車１８の筒部２４に一体回転可能に嵌合する。したがって、カートリッジ２８は、供給リール４２がリールホルダー４５を介して筒部２２に、巻取りリール４４が筒部２４にそれぞれ嵌合するように、ケース下体８に収納される。
【００１４】
次いで蓋体６を取付けてカートリッジ２８が外れないようにして使用する。この時、後述する転写機構５０の少なくとも転写部材であるローラー５６が、少なくとも部分的にケース４の開口５の外側に位置し、このローラー５６を紙面に押し当てることが可能になっている。そして、テープ６８を介してローラー５６を被転写体である紙に押し当て塗膜転写具２を所定の方向に引くことにより、テープ６８は供給リール４２から矢印Ｂの方向へ繰り出される。この際、前記構成により、供給リール４２の回転がリールホルダー４５を介して供給歯車１６に伝達され、供給歯車１６もテープ６８の繰り出し方向に回転する。さらに、この回転が中間歯車２０を通じて巻取り歯車１８に伝えられ、巻取りリール４４がテープ６８を巻取る方向に回転することとなる。
【００１５】
次に図３及び４を併せて参照しながら、転写機構５０について説明する。図３は、図２の矢印Ｃ方向から見たカートリッジ２８の転写機構５０を示す。図４は、転写機構５０の転写時における、図３におけるＡ−Ａ線断面図である。
【００１６】
本実施の形態における転写機構５０は、図２において供給リール４２の左斜め下方の位置に設けられる。すなわち、供給リール４２の僅かに左斜め下方の位置で、支持板上部３２からこれに対して垂直下方（図３において左向き）へ伸びる支持板壁部３４が支持板上部３２と一体に形成されている。さらに、この支持板壁部３４の先端から支持板上部３２と平行に、供給リール４２から遠ざかる方向に伸びる支持板下部３６が支持板壁部３４と一体に形成されている。
【００１７】
支持板上部３２と支持板下部３６との間において、軸５２が支持板壁部３４の手前側でこれに平行に伸び、その両端部が支持板上部３２と支持板下部３６にそれぞれ固定されている。この軸５２には、断面「コ」の字状の支持部材５３がその２本のアーム５４の根元部分で回転可能に支持されている。
【００１８】
支持部材５３のアーム５４の先端において、２つのアーム５４に挟まれるように転写部材であるローラー５６がローラー軸５７により回転可能に支持されている。
【００１９】
支持部材５３は、アーム５４の根元部分にある軸５２の下方において、支持部材５３の連結部５５からアーム５４と同じ方向に伸びる板状のばね当接部６４を備えている。このばね当接部６４には、支持板壁部３４から支持板３０の先端方向へ伸びるばね固定部６６に固定される圧縮コイルばね６２の端部が当接している。これにより、支持部材５３は図４において軸５２回りに反時計方向に付勢され、支持板上部３２及び支持板下部３６において、支持部材５３の下方でそれぞれが対向するように設けられる下方ストッパー６１に当接して位置決めされている。
【００２０】
支持部材５３に圧縮コイルばね６２に抗する力が作用すると、支持部材５３は時計方向に回転するが、その回転は支持板３０に固定された上方ストッパー５８により制限される。この上方ストッパー５８は円柱状の棒であり、支持部材５３の上方に位置し、その両端は支持板上部３２と支持板下部３６それぞれに固定されている。
【００２１】
次に、図４、５及び６を参照して、転写機構５０の動作について説明をする。なお、図５及び６は、図４同様、転写機構５０のＡ−Ａ線断面図である。
【００２２】
図４は、塗膜転写具２に対し力がかけられていない転写開始時における転写機構５０を示している。この場合、支持部材５３にコイルばね６２の力が作用して、支持部材５３は下方ストッパー６１に当たって位置決めされている。この状態から、図５に示すように塗膜転写具２に対し力がかけられ、塗膜転写具２が矢印Ｄの方向に引きずられることにより、紙７０に塗膜が転写される。
【００２３】
この際、支持部材５３には圧縮コイルばね６２の力に抗する力が紙面側から作用することとなり、支持部材５３は軸５２回りに時計方向に回転し、上方ストッパー５８に当たって位置決めされる。図５において、転写が終了し、未だ塗膜転写具２に力が作用しているときにおけるテープ６８と紙７０との接点位置をPとする。
【００２４】
図６は、この状態から塗膜転写具２を紙７０から離した状態を示している。この時ローラー５６が紙７０から離れるので、支持部材５３に紙面側から作用していた力はなくなり、支持部材５３は圧縮コイルばね６２の力により反時計方向に回転し、下方ストッパー６１に当たる。一方、テープ６８は繰り出されないので、支持部材５３が移動する距離に対応して、ローラー５６とテープ６８との接点位置が、テープ６８の繰り出し方向の逆向きに相対的に移動する。すなわち、図６に示すように、ローラー５６とテープ６８との接点位置が、先の転写終了時のPよりもテープ６８の繰り出し方向逆向きに位置Qへ移動することとなる。したがって、たとえ転写が終了して塗膜転写具２を紙から離した場合に生じる糸引き現象によりテープ６８の未使用部分の塗膜が余分に剥がれてしまっても、次に転写する際にローラー５６とテープ６８の接点位置すなわちテープ６８と紙７０との接点位置Qにおけるテープ６８上では塗膜が塗布された状態が維持されることとなる。この結果、次に転写する際にもローラー５６の空滑りが生じることはなく、確実に転写を行える。
【００２５】
図７は、第２の実施の形態に基づく転写機構５０ｂのＡ−Ａ線断面図である。第１の実施の形態と同じ部材には同じ番号を付して説明する。本実施形態においては、本発明の弾性体に板ばね６３を適用し、その一端をばね固定部６６に固定し、他端をばね当接部６４に当接することにより、第１の実施形態同様の効果を発揮する。
【００２６】
なお、弾性体に圧縮コイルばね６２、板ばね６３等のばね部材を適用した場合、支持部材５３がばね部材により下方向に力を受けるため、ローラー５６の紙７０への追従性が増し、転写の失敗が少なくなるという効果がある。
【００２７】
図８は、本発明の第３の実施の形態に基づく転写機構５０ｃのＡ−Ａ断面図である。本実施形態においては、アーム状の支持部材５３ｂは弾性を有する材料、例えばプラスチック等を用いて作られており、その支持部材５３ｂは一端部において支持板壁部３４に固定、例えば一体成形されている。支持部材５３ｂは第１の実施の形態での支持部材５３のアーム５４と同様に平行に２本形成されており、それらの先端部にローラー５６が回転可能に取り付けられている。支持部材５３ｂはその長手方向で少なくとも部分的に図の紙面と平行な面内で弾性変形可能な程度に薄肉に形成されている。
【００２８】
塗膜転写具２に力がかからない状態においては、支持部材５３ｂが図示の初期位置に位置している。そして、転写時に力が作用すると支持部材５３ｂが撓み、ローラー５６が図中上方へ変位し、上方ストッパー５８に当たることにより位置決めされる。
【００２９】
本実施の形態においては、弾性変形可能なアーム状の支持部材５３ｂを用い、その一端側で回動不能に支持し、他端側にローラー５６を取り付けたので、変位位置から初期位置へ戻るのにコイルばね６２等の弾性体を別個使用する必要がない。また、ばねの固定部６６や当接部６４を設ける必要がなく、また、支持部材５３ｂは支持板３０に一体成形できるので、部品点数を減らし低コスト化が可能となる。
【００３０】
尚、上記各実施の形態においては、転写部材と支持部材５３とは別個の部材としたが、修正用塗膜の転写具で広く使用されている、先端に転写部を備えた板状の転写部材を用い、その一端側（根元側）を回動可能にあるいは回動不能に支持する構成も採用可能である。回動可能とした場合は、第１の実施の形態と同様にばね等の付勢手段及び下側のストッパーが必要となる。
【図面の簡単な説明】
【００３１】
【図１】本発明の第１の実施の形態に基づく塗膜転写具の分解斜視図である。
【図２】図１における矢印B方向での矢視図である。
【図３】第１の実施の形態に基づく塗膜転写具の蓋体及び支持板上部を外した状態の正面図である。
【図４】転写開始時における、第１の実施の形態の転写機構の図２におけるＡ−Ａ線断面図である。
【図５】転写終了時における、第１の実施の形態の転写機構の図２におけるＡ−Ａ線断面図である。
【図６】転写終了後塗膜転写具を被転写体から離した状態における、第１の実施の形態の転写機構の図２におけるＡ−Ａ線断面図である。
【図７】第２の実施の形態の転写機構のＡ−Ａ線断面図である。
【図８】第３の実施の形態の転写機構のＡ−Ａ線断面図である。
【符号の説明】
【００３２】
２  塗膜転写具
３０支持板
３２支持板上部
３４支持板壁部
３６支持板下部
５０転写機構
５３支持部材
５６ローラー
５８上方ストッパー
６０、６１下方ストッパー
６２圧縮コイルばね
６４ばね当接部
６６ばね固定部
６８テープ
７０紙
【図１】
2008023871.tif 000003
【図２】
2008023871.tif 000004
【図３】
2008023871.tif 000005
【図４】
2008023871.tif 000006
【図５】
2008023871.tif 000007
【図６】
2008023871.tif 000008
【図７】
2008023871.tif 000009
【図８】
2008023871.tif 000010